(57)【要約】【課題】ティーショットにおける目標として設定したボールの打ち出し方向を視覚的に明示できるようになしてボールの打ち出し方向を認識し易いものとなし、それによって打席位置やスタンスをスムーズに決めて正しいスタンスを取り易くし、熟練を要することなくして容易にティーアップしたボールを目標とする方向に向けて正確に打ち出すことを可能とする新規な打ち出し方向指標付きゴルフティーを提供する。【解決手段】ティー本体１の軸部２に打ち出し方向を指標する指標片５を装着して、該指標片５をティー本体１の側方に突き出るよう一体的に保持させることを特徴とする。【選択図】　　　　図３
0003097810.tif 000002
【実用新案登録請求の範囲】
【請求項１】
ティー本体１の軸部２に打ち出し方向を指標する指標片５を装着して、該指標片５をティー本体１の側方に突き出るよう一体的に保持させることを特徴とする打ち出し方向指標付きゴルフティー。
【請求項２】
前記指標片１に穿孔６を設け、該穿孔６をティー本体１の軸部２に着脱可能にかつ摺動可能に嵌合し、該指標片５を任意位置に装着、保持し得るよう構成してなる請求項１に記載の打ち出し方向指標付きゴルフティー。
【請求項３】
前記ティー本体１の軸部２側面に、目盛り４を刻設、印刷、シール貼着等で表示してなる請求項１又は２に記載の打ち出し方向指標付きゴルフティー。
【請求項４】
前記指標片５の穿孔６の一部に直線部７を設け、該直線部７をティー本体１の軸部２に刻設した任意の目盛り４に係合させて保持し得るよう構成してなる請求項１、２又は３に記載の打ち出し方向指標付きゴルフティー。
【請求項５】
前記指標片５の表面に、打出し方向を示す指標線８を刻設、印刷、シール貼着等で表示してなる請求項１、２、又は４に記載の打ち出し方向指標付きゴルフティー。
【考案の詳細な説明】
【０００１】
【考案の属する技術分野】
本考案は、打ち出し方向指標付きゴルフティーに関するものである。
【０００２】
【従来の技術】
ゴルフコースにおける各々のホールのスタートとなるティーグラウンドにおいてはボールをティーアップすることが許されており、そのティーショットを行う際、ボールの打ち出し方向の正確性は、長い飛距離を狙うのが一般であることから、取り分けて重要であるといえる。
【０００３】
従って、プレイヤーはボールをティーアップした後に、ボールの真後ろに回って目標を遠視した上で、その目標とする方向を決定してイメージし、しかる上でイメージしたボールの打ち出し方向に基づいて打席位置やスタンスを決め、ゴルフクラブをスイングしてティーアップしたボールをイメージした方向に向けて強く打ち出している。
【０００４】
【考案が解決しようとする課題】
しかしながら、上記した打ち出し方向のイメージは、心的な抽象であって視覚的な具体的指標が皆無であることから、ティーショットにおける打席位置やスタンスの採り方には強い不安が伴ってボールを目標とする方向に向けて正確に打ち出すことはきわめて困難であり、高度な熟練を要するものであった。
【０００５】
本考案は如上の問題に鑑みてこれを解決すべく案出したものであって、ティーショットにおける目標として設定したボールの打ち出し方向を視覚的に明示できるようになしてボールの打ち出し方向を認識し易いものとなし、それによって打席位置やスタンスをスムーズに決めて正しいスタンスを取り易くし、熟練を要することなくして容易にティーアップしたボールを目標とする方向に向けて正確に打ち出すことを可能とする新規な打ち出し方向指標付きゴルフティーを提供することを目的とする。
【０００６】
【課題を解決するための手段】
上記目的を達成するための本考案の構成を実施の態様に基づいて説明すると、本考案に係る打ち出し方向指標付きゴルフ用ティーは、ティー本体１の軸部２に打ち出し方向を指標する指標片５を装着して、該指標片５をティー本体１の側方に突き出るよう一体的に保持させることを最も主要な特徴とするものである。
【０００７】
そして、前記指標片５に穿孔６を設け、該穿孔６をティー本体１の軸部２に着脱可能にかつ摺動可能に嵌合して、該指標片５を任意位置に装着、保持し得るよう構成するのがよい。
【０００８】
また、前記ティー本体１の軸部２側面には、目盛り４を刻設、印刷、シール貼着等で表示するとよい。
【０００９】
また、前記指標片５の穿孔６の一部には直線部７を設け、該直線部７をティー本体１の軸部２に刻設した任意の目盛り４に係合させて保持し得るよう構成することができる。
【００１０】
また、前記指標片５の表面には、打出し方向を示す指標線８を刻設、印刷、シール貼着等で表示するのが好ましい。
【００１１】
【考案の実施の形態】
以下に、本考案の実施の形態を実施例に基づき図面を参照して説明する。
【００１２】
【実施例】
図１において、ティー本体１は３ｃｍ〜１０ｃｍ程度の長さを有する断面円形状の軸部２を有し、その頭端にゴルフボールを乗載させる座２を有すると共にその先端は芝生面に突き刺すことができるよう尖らせており、熱可塑性合成樹脂による射出成形、木片類の切削等によって成形される。そして、該ティー本体１における軸部２の周側面には、軸方向に等間隔に設定した目盛り４を刻設している。
【００１３】
図２及び図３において、指標片５は、ティーグラウンドでボールをティーアップする際、ボールの打ち出し方向をプレイヤー自身がティーショットする時点での自己に明示するために使用するものであって、３ｃｍ〜８ｃｍ程度の適宜な長さを有する板状の小片であり、ティー本体１の軸部２の側方に水平に突出するよう一体的に装着、保持させることができるよう構成している。
【００１４】
本実施例において、指標片５は、ティー本体１と同様に熱可塑性合成樹脂による射出成形、木片類の切削等によって先細り花弁状に成形されている。その基端側に前記ティー本体１の軸部２に着脱可能にかつ摺動可能に嵌合する穿孔６を設けていると共に該穿孔６の一部には直線部７を有している。また、該指標片５の表面中央部には、先端に向っての直線状の指標線８を線太、彩色を施す等して視覚的に認識し易いように刻設、印刷、シール貼着等で表示している。
【００１５】
上記の如き構成になり、ティー本体１の軸部２に指標片５の穿孔６を着脱可能かつ摺動可能に嵌合して、軸部２上の任意の目盛り４に合致させると、穿孔６の直線部７が軸部２に刻設されて窪んだ目盛り４に係合して当該目盛り４に位置決め保持され、指標片５をティー本体１の軸部２の側方に水平状に突き出るよう一体的に嵌合装着することができると共に指標片５を所定の目盛り４を選択することで、常にプレイヤーの好みの高さに合わせることができる。
【００１６】
指標片５はティー本体１と別体にしてテーグラウンドにおいてプレイヤーが両者を嵌合するので、嵩張ることもなくポケットに入れて容易に携帯することができる。
【００１７】
また、プレイヤーが上級者等で指標片５を不要とするときは、指標片５をティー本体１の軸部２から抜き出すことによって分離除去でき、ティー本体１を単独のままで通常のティーとして従来通りに使用することも可能である。
【００１８】
尚、指標片５の穿孔６には直線部７を設けることなく、単に穿孔６をティー本体１の軸部２に対し摺動可能に嵌合させ得るよう両者のクリアランスを適宜に設定すれば、該指標片５をティー本体１の軸部２上の任意位置に摩擦的に嵌合させて一体的に装着することが可能である。
【００１９】
上記構成において、指標片５をティー本体１の軸部２の側方に水平状に突き出るよう一体的に嵌合装着した状態の下で、プレイヤーは、ティーグラウンドにおいて、指標片５の指標線８を目標として設定した打ち出し方向に合致させてティーアップを行う。
【００２０】
これにより、プレイヤーは自己の設定した打ち出し方向を指標片５の指標線８によって視覚的に明示されることから、スムーズに打席に立つことができ、正しいスタンスが取り易くなると共にスイング時の安心感を惹起して正しいスイングに誘導し、ゴルフの上達に有効に寄与することができる。
【００２１】
また、指標片５をティー本体１の軸部２の所望位置に嵌合装着できることから、ティーアップする際の軸部２の芝生面に対する突き刺しの深さを指標片５の装着位置までと設定して使用すれば、ティーアップの高さを常に一定に保つことが可能となり、ティーショット時の狂い、不安を解消することができる。
【００２２】
本考案の要旨とするところは、ティー本体１の軸部２に打ち出し方向を指標する指標片５を装着して、該指標片５をティー本体１の側方に突き出るよう一体的に保持させる構成にあり、ティーショット時の打ち出し方向を視覚的に明示するに足る手段であればよく、その具体的構成は、本実施例の構成に限定されるものではない。
【００２３】
指標片５の表面には、視認容易なる直線状の指標線８を表示することが望ましいが、指標片５それ自体を矢印形状等のように方向を明示するに足る形態に成形した場合には、指標線８の表示を省略してもよい。また、本実施例にあっては、目盛り４をティー本体１の軸部２に刻設したが、刻設に限ることなく、印刷、シール貼着、その他いかなる手段の表示であってもよい。更には、指標片５の穿孔６は、一側方に解放口を有するＣ字状に構成して、該解放口をティー本体１の軸部２に強制的に押入して着脱可能に嵌合、装着することも可能である。このように構成する場合、指標片５を若干弾性を有する素材で成形することが適当である。
【００２４】
【考案の効果】
本考案は以上説明したように構成されるので、以下のような効果を奏することができる。
【００２５】
請求項１に記載の考案によって、ティーショットにおける目標として設定したボールの打ち出し方向を視覚的に明示できるようになすことができ、打席位置やスタンスをスムーズに決めて正しいスタンスを取り易くし、熟練を要することなくして容易にティーアップしたボールを目標とする方向に向けて正確に打ち出すことを可能とすることができる。
【００２６】
請求項２に記載の考案によって、プレイヤーがティーグラウンドにおいて指標片５をティー本体１の軸部２の任意位置に一体的に嵌合装着することができ、携帯に便利であると共に指標片５が不要なときは除去してティー本体１のみを使用することができる。
【００２７】
請求項３に記載の考案によって、指標片５を所定の目盛り４を目安としてティー本体１の軸部２に装着することで、ティーアップを常にプレイヤーの好みの高さに合わせることができる。
【００２８】
請求項４に記載の考案によって、指標片５をティー本体１の目盛り４の位置に正確に嵌合装着することができる。
【００２９】
請求項５に記載の考案によって、ティーショットの打ち出し方向を視覚的に認識し易いものとすることができる。
【図面の簡単な説明】
【図１】本考案の実施例を示すティー本体の斜視図である。
【図２】本考案の実施例を示す指標片の平面図である。
【図３】本考案の実施例を示すティー本体の軸部に指標片を嵌合装着した使用状態の説明図である。
【符号の説明】
１　　ティー本体
２　　軸部
３　　座
４　　目盛り
５　　指標片
６　　穿孔
７　　直線部
８　　指標線
【図１】
0003097810.tif 000003
【図２】
0003097810.tif 000004
【図３】
0003097810.tif 000005
【手続補正書】
【提出日】平成15年4月7日(2003.4.7)
【手続補正１】
【補正対象書類名】図面
【補正対象項目名】全図
【補正方法】変更
【補正の内容】
【図１】
0003097810.tif 000006
【図２】
0003097810.tif 000007
【図３】
0003097810.tif 000008